(57)【要約】【課題】ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる光ディスク装置およびその光ディスク領域判別方法を提供する。【解決手段】光ディスク２００のミラー領域における情報記録状態や情報印刷状態さらにキズや汚れ状態など、ミラー領域面の表面状態がどのような場合でも、その光ディスク２００のミラー領域とデータ領域とを確実に判別する。【選択図】図２
2006040381.tif 000002
【特許請求の範囲】
【請求項１】
情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段の計数結果に基づいて、前記光ピックアップが前記第１の領域に位置しているか、前記第２の領域に位置しているか、前記第１の領域と前記第２の領域の境界に位置しているかを判別する判別手段とを備えた光ディスク装置。
【請求項２】
情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段により前記第１の領域で計数した前記トラック横断本数を記憶する記憶手段と、前記記憶手段に記憶されているトラック横断本数と、前記計数手段により現在位置で前記第１の領域で行った計数と同じ回転回数分だけ計数したトラック横断本数とを比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えた光ディスク装置。
【請求項３】
情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップをトラッキング方向に振動させるウォブリング手段と、前記ウォブリング手段を動作させて前記光ピックアップに前記振動を与えた状態で前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段の計数結果に基づいて、前記光ピックアップが前記第１の領域に位置しているか、前記第２の領域に位置しているか、前記第１の領域と前記第２の領域の境界に位置しているかを判別する判別手段とを備えた光ディスク装置。
【請求項４】
情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップをトラッキング方向に振動させるウォブリング手段と、前記ウォブリング手段を動作させて前記光ピックアップに前記振動を与えた状態で前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段により前記第１の領域で計数した前記トラック横断本数を記憶する記憶手段と、前記記憶手段に記憶されているトラック横断本数と、前記計数手段により現在位置で前記第１の領域で行った計数と同じ回転回数分だけ計数したトラック横断本数とを比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えた光ディスク装置。
【請求項５】
請求項４に記載の光ディスク装置であって、前記記憶手段は、前記ウォブリング手段の非動作時に前記第１の領域で計数した前記トラック横断本数が所定の一定値以上である場合は、そのトラック横断本数を記憶し、前記ウォブリング手段の非動作時に前記第１の領域で計数した前記トラック横断本数が所定の一定値未満である場合は、前記ウォブリング手段を動作させて前記第１の領域で計数した前記トラック横断本数を記憶し、前記比較手段は、前記記憶手段により前記第１の領域で記憶した前記トラック横断本数が前記ウォブリング手段の非動作時のものなら、そのトラック横断本数と、前記ウォブリング手段の非動作時に現在位置で前記計数手段により計数したトラック横断本数とを比較し、前記記憶手段により前記第１の領域で記憶した前記トラック横断本数が前記ウォブリング手段の動作時のものなら、そのトラック横断本数と、前記ウォブリング手段の動作時に現在位置で前記計数手段により計数したトラック横断本数とを比較することを特徴とする光ディスク装置。
【請求項６】
情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ディスク１回転をＮ（Ｎは２以上の自然数）個の領域に分けた各領域毎に、前記光ビームのトラック横断本数を前記光ディスクの１回転分、もしくは、Ｍ（Ｍは２以上の自然数）回転分だけ計数する計数手段と、前記計数手段による前記各領域毎の計数結果に基づいて、前記光ピックアップが前記第１の領域に位置しているか、前記第２の領域に位置しているか、前記第１の領域と前記第２の領域の境界に位置しているかを判別する判別手段とを備えた光ディスク装置。
【請求項７】
請求項６に記載の光ディスク装置であって、前記判別手段は、前記Ｎ個の領域のうち対角線領域の計数値をそれぞれ比較することにより、前記光ピックアップが前記第１の領域に位置しているか、前記第２の領域に位置しているか、前記第１の領域と前記第２の領域の境界に位置しているかを判別することを特徴とする光ディスク装置。
【請求項８】
請求項６に記載の光ディスク装置であって、前記第１の領域で前記計数手段により計数したトラック横断本数を前記Ｎ個の各領域ごとに記憶する記憶手段を備え、前記判別手段は、前記Ｎ個の各領域ごとに、現在位置で前記計数手段により計数したトラック横断本数と前記記憶手段に記憶されているトラック横断数とを比較することにより、前記光ピックアップが前記第１の領域に位置しているか、前記第２の領域に位置しているか、前記第１の領域と前記第２の領域の境界に位置しているかを判別することを特徴とする光ディスク装置。
【請求項９】
請求項６に記載の光ディスク装置であって、前記判別手段は、前記Ｎ個の領域のうち隣り合う領域の計数値をそれぞれ比較することにより、前記光ピックアップが前記第１の領域に位置しているか、前記第２の領域に位置しているか、前記第１の領域と前記第２の領域の境界に位置しているかを判別することを特徴とする光ディスク装置。
【請求項１０】
情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を振動検出動作での計数の時間と同じ回転回数分だけ計数する計数手段と、前記光ディスクの振動検出動作として予め前記計数手段により前記第１の領域で１回転分、もしくは、Ｍ（Ｍは２以上の自然数）回転分だけ計数した前記トラック横断本数を記憶する記憶手段と、前記振動検出時に前記記憶手段に記憶されたトラック横断本数をその基準値として、前記計数手段により現在位置で計数したトラック横断本数と比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えた光ディスク装置。
【請求項１１】
情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段により前記第１の領域で前記光ディスクの回転速度毎に計数した前記トラック横断本数をそれぞれ記憶する記憶手段と、前記計数手段により現在位置で前記記憶手段に記憶する計数結果を計数した回転回数分だけ計数したトラック横断本数と、前記記憶手段に記憶されているトラック横断本数のうち現在の回転速度に対応するトラック横断本数とを比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えた光ディスク装置。
【請求項１２】
請求項２、４、５、１０、１１のいずれかに記載の光ディスク装置であって、前記比較手段は、前記計数手段により現在位置で計数したトラック横断本数と、その基準値となるトラック横断本数とを比較して、それらの差を求めることを特徴とする光ディスク装置。
【請求項１３】
請求項２、４、５、１０、１１のいずれかに記載の光ディスク装置であって、前記比較手段は、前記計数手段により現在位置で計数したトラック横断本数と、その基準値となるトラック横断本数とを比較して、それらの比を求めることを特徴とする光ディスク装置。
【請求項１４】
請求項２、４、５、１１のいずれかに記載の光ディスク装置であって、前記記憶手段は、前記光ディスクの振動検出動作として予め前記計数手段により前記第１の領域で計数した前記トラック横断本数を記憶することを特徴とする光ディスク装置。
【請求項１５】
請求項２、４、５、１０のいずれかに記載の光ディスク装置であって、前記記憶手段は、前記計数手段により前記第１の領域で前記光ディスクの回転速度毎に計数した前記トラック横断本数をそれぞれ記憶するよう構成し、前記比較手段は、前記計数手段により現在位置で計数したトラック横断本数と、前記記憶手段に記憶されているトラック横断本数のうち現在の回転速度に対応するトラック横断本数とを比較するよう構成したことを特徴とする光ディスク装置。
【請求項１６】
請求項１〜１５のいずれかに記載の光ディスク装置であって、前記判別手段により前記光ピックアップが前記第２の領域に位置していると判断したときには、前記光ピックアップを所定の方向に所定量移動するよう制御する制御手段を備えた光ディスク装置。
【請求項１７】
請求項１〜１５のいずれかに記載の光ディスク装置であって、前記判別手段により前記光ピックアップの位置か判別できないときには、前記光ピックアップを所定の方向に所定量移動するよう制御する制御手段を備えた光ディスク装置。
【請求項１８】
請求項１〜１５のいずれかに記載の光ディスク装置であって、前記判別手段により前記光ピックアップが前記第１の領域と前記第２の領域の境界に位置していると判別したときには、前記光ピックアップを所定の方向に所定量移動するよう制御する制御手段を備えた光ディスク装置。
【請求項１９】
情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップの計数結果に基づいて、前記光ピックアップが前記第１の領域に位置しているか、前記第２の領域に位置しているか、前記第１の領域と前記第２の領域の境界に位置しているかを判別するステップとからなる光ディスク装置の光ディスク領域判別方法。
【請求項２０】
情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップにより前記第１の領域で計数した前記トラック横断本数を記憶するステップと、前記記憶ステップにより記憶されているトラック横断本数と、前記計数ステップにより現在位置で前記第１の領域で行った計数と同じ回転回数分だけ計数したトラック横断本数とを比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる光ディスク装置の光ディスク領域判別方法。
【請求項２１】
情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記光ピックアップをトラッキング方向に振動させてウォブリングするステップと、前記ウォブリングステップにより前記光ピックアップに前記振動を与えた状態で前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップの計数結果に基づいて、前記光ピックアップが前記第１の領域に位置しているか、前記第２の領域に位置しているか、前記第１の領域と前記第２の領域の境界に位置しているかを判別するステップとからなる光ディスク装置の光ディスク領域判別方法。
【請求項２２】
情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記光ピックアップをトラッキング方向に振動させてウォブリングするステップと、前記ウォブリングステップにより前記光ピックアップに前記振動を与えた状態で前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップにより前記第１の領域で計数した前記トラック横断本数を記憶するステップと、前記記憶ステップにより記憶されているトラック横断本数と、前記計数ステップにより現在位置で前記第１の領域で行った計数と同じ回転回数分だけ計数したトラック横断本数とを比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる光ディスク装置の光ディスク領域判別方法。
【請求項２３】
請求項２２に記載の光ディスク装置の光ディスク領域判別方法であって、前記記憶ステップは、前記ウォブリングの非動作時に前記第１の領域で計数した前記トラック横断本数が所定の一定値以上である場合は、そのトラック横断本数を記憶し、前記ウォブリングの非動作時に前記第１の領域で計数した前記トラック横断本数が所定の一定値未満である場合は、前記ウォブリングを動作させて前記第１の領域で計数した前記トラック横断本数を記憶し、前記比較ステップは、前記記憶ステップにより前記第１の領域で記憶した前記トラック横断本数が前記ウォブリングの非動作時のものなら、そのトラック横断本数と、前記ウォブリングの非動作時に現在位置で前記計数ステップにより計数したトラック横断本数とを比較し、前記記憶ステップにより前記第１の領域で記憶した前記トラック横断本数が前記ウォブリングの動作時のものなら、そのトラック横断本数と、前記ウォブリングの動作時に現在位置で前記計数ステップにより計数したトラック横断本数とを比較することを特徴とする光ディスク装置の光ディスク領域判別方法。
【請求項２４】
情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ディスク１回転をＮ（Ｎは２以上の自然数）個の領域に分けた各領域毎に、前記光ビームのトラック横断本数を前記光ディスクの１回転分、もしくは、Ｍ（Ｍは２以上の自然数）回転分だけ計数するステップと、前記計数ステップによる前記各領域毎の計数結果に基づいて、前記光ピックアップが前記第１の領域に位置しているか、前記第２の領域に位置しているか、前記第１の領域と前記第２の領域の境界に位置しているかを判別するステップとからなる光ディスク装置の光ディスク領域判別方法。
【請求項２５】
請求項２４に記載の光ディスク装置の光ディスク領域判別方法であって、前記判別ステップは、前記Ｎ個の領域のうち対角線領域の計数値をそれぞれ比較することにより、前記光ピックアップが前記第１の領域に位置しているか、前記第２の領域に位置しているか、前記第１の領域と前記第２の領域の境界に位置しているかを判別することを特徴とする光ディスク装置の光ディスク領域判別方法。
【請求項２６】
請求項２４に記載の光ディスク装置の光ディスク領域判別方法であって、前記第１の領域で前記計数ステップにより計数したトラック横断本数を前記Ｎ個の各領域ごとに記憶するステップを有し、前記判別ステップは、前記Ｎ個の各領域ごとに、現在位置で前記計数ステップにより計数したトラック横断本数と前記記憶ステップにより記憶されているトラック横断数とを比較することにより、前記光ピックアップが前記第１の領域に位置しているか、前記第２の領域に位置しているか、前記第１の領域と前記第２の領域の境界に位置しているかを判別することを特徴とする光ディスク装置の光ディスク領域判別方法。
【請求項２７】
請求項２４に記載の光ディスク装置の光ディスク領域判別方法であって、前記判別ステップは、前記Ｎ個の領域のうち隣り合う領域の計数値をそれぞれ比較することにより、前記光ピックアップが前記第１の領域に位置しているか、前記第２の領域に位置しているか、前記第１の領域と前記第２の領域の境界に位置しているかを判別することを特徴とする光ディスク装置の光ディスク領域判別方法。
【請求項２８】
情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を振動検出動作での計数の時間と同じ回転回数分だけ計数するステップと、前記光ディスクの振動検出動作として予め前記計数ステップにより前記第１の領域で回転分、もしくは、Ｍ（Ｍは２以上の自然数）回転分だけ計数した前記トラック横断本数を記憶するステップと、前記振動検出時に前記記憶ステップにより記憶されたトラック横断本数をその基準値として、前記計数ステップにより現在位置で計数したトラック横断本数と比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる光ディスク装置の光ディスク領域判別方法。
【請求項２９】
情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップにより前記第１の領域で前記光ディスクの回転速度毎に計数した前記トラック横断本数をそれぞれ記憶するステップと、前記計数ステップにより現在位置で前記記憶ステップで記憶する計数結果を計数した回転回数分だけ計数したトラック横断本数と、前記記憶ステップにより記憶されているトラック横断本数のうち現在の回転速度に対応するトラック横断本数とを比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる光ディスク装置の光ディスク領域判別方法。
【請求項３０】
請求項２０、２２、２３、２８、２９のいずれかに記載の光ディスク装置の光ディスク領域判別方法であって、前記比較ステップは、前記計数ステップにより現在位置で計数したトラック横断本数と、その基準値となるトラック横断本数とを比較して、それらの差を求めることを特徴とする光ディスク装置の光ディスク領域判別方法。
【請求項３１】
請求項２０、２２、２３、２８、２９のいずれかに記載の光ディスク装置の光ディスク領域判別方法であって、前記比較ステップは、前記計数ステップにより現在位置で計数したトラック横断本数と、その基準値となるトラック横断本数とを比較して、それらの比を求めることを特徴とする光ディスク装置の光ディスク領域判別方法。
【請求項３２】
請求項２０、２２、２３、２９のいずれかに記載の光ディスク装置の光ディスク領域判別方法であって、前記記憶ステップは、前記光ディスクの振動検出動作として予め前記計数ステップにより前記第１の領域で計数した前記トラック横断本数を記憶することを特徴とする光ディスク装置の光ディスク領域判別方法。
【請求項３３】
請求項２０、２２、２３、２８のいずれかに記載の光ディスク装置の光ディスク領域判別方法であって、前記記憶ステップは、前記計数ステップにより前記第１の領域で前記光ディスクの回転速度毎に計数した前記トラック横断本数をそれぞれ記憶し、前記比較ステップは、前記計数ステップにより現在位置で計数したトラック横断本数と、前記記憶ステップにより記憶されているトラック横断本数のうち現在の回転速度に対応するトラック横断本数とを比較することを特徴とする光ディスク装置の光ディスク領域判別方法。
【請求項３４】
請求項１９〜３３のいずれかに記載の光ディスク装置の光ディスク領域判別方法であって、前記判別ステップにより前記光ピックアップが前記第２の領域に位置していると判断したときには、前記光ピックアップを所定の方向に所定量移動するステップを有する光ディスク装置の光ディスク領域判別方法。
【請求項３５】
請求項１９〜３３のいずれかに記載の光ディスク装置の光ディスク領域判別方法であって、前記判別ステップにより前記光ピックアップの位置か判別できないときには、前記光ピックアップを所定の方向に所定量移動するステップを有する光ディスク装置の光ディスク領域判別方法。
【請求項３６】
請求項１９〜３３のいずれかに記載の光ディスク装置の光ディスク領域判別方法であって、前記判別ステップにより前記光ピックアップが前記第１の領域と前記第２の領域の境界に位置していると判別したときには、前記光ピックアップを所定の方向に所定量移動するステップを有する光ディスク装置の光ディスク領域判別方法。
【発明の詳細な説明】
【技術分野】
【０００１】
本発明は、情報トラックが形成された領域と形成されていない領域とを有する光ディスクに対して、各領域を判別して情報を記録または再生する光ディスク装置およびその光ディスク領域判別方法に関するものである。
【背景技術】
【０００２】
従来から、コンピュータシステムにおいて、アプリケーションプログラムやその処理により得られた演算データを保存するための記録媒体として、ハードディスク（ＨＤ）、フロッピー（登録商標）ディスク（ＦＤ）や光ディスク（ＣＤ、ＤＶＤ）が利用され、それらのドライブ装置が接続されている。なお、一般的に用いられる光ディスクは、通常、その記録面に情報トラックが形成されたデータ領域と情報トラックが形成されておらず鏡面をなすミラー領域とを有している。
【０００３】
そして、近年、大容量のデータを扱う処理が頻繁に行われるようになり、データ保存用の記録媒体として、着脱可能で取り扱いが容易、かつ大容量で高速処理が可能という条件を満足する光ディスクが広く利用されるようになっており、最近では、多くのコンピュータシステムにおいて、上記のような光ディスクが利用できる光ディスク装置が、データ保存用のメイン装置として接続されている。
【０００４】
このようなコンピュータシステムで使用される光ディスク装置では、データ記録再生処理をさらに高速化することが要求されており、素早くデータ記録再生処理を開始させるため、その開始までの処理スピードの高速化が必要となり、光ピックアップが光ディスクのミラー領域に入った時、これを速やかに検知して、光ピックアップを速くデータ領域に移動させることが必要となる。
【０００５】
以上のような従来の光ディスク装置について、その光ディスク領域判別方法（例えば、特許文献１を参照）を図面を用いて以下に説明する。
図１は従来の光ディスク装置における光ディスク領域判別動作に関する構成を示すブロック図である。
【０００６】
光ディスクの記録面における各領域を判別する場合は、図１において、情報が記録されたデータ領域と情報が記録されていない第２の領域とを有する光ディスク１００からの反射光を、光ピックアップ１０１で検知して反射光に対応する再生信号を生成し、その再生信号をＲＦアンプ１０２で増幅した後にＡ／Ｄコンバータ１０３でデジタル信号に変換し、このデジタル信号を基に、ピーク検出ホールド回路１０４で再生信号のピーク信号レベルを検出してホールドするとともに、ボトム検出ホールド回路１０５で再生信号のボトム信号レベルを検出してホールドし、それらピーク信号レベルとボトム信号レベル（基準レベル）とを差分演算手段１０６で比較してレベル差分値を算出し、それらのレベル差分値に基づいて、ミラー検出回路１０７で、差分値が所定レベルより大きい場合は、光ピックアップ１０１がデータ領域として音楽プログラムやその他の情報をビット形態で記録しているデータ領域に位置していると判断し、差分値が所定レベルより小さい場合は、光ピックアップ１０１が第２の領域としてビットの存在しないミラー領域に位置していると判断することにより、光ピックアップ１０１が位置する領域を判別する。
【０００７】
このような領域判別により、光ピックアップ１０１が光ディスク１００のミラー領域に位置していると判断された場合には、光ピックアップ１０１を、光ディスク１００のミラー領域からデータ領域へ脱出させるように所定の距離だけ移送するようにしている。
【０００８】
以上のようにして、光ディスク１００のミラー領域とデータ領域とを判別し、光ピックアップ１０１を記録あるいは再生するための領域であるデータ領域へ移動させている。
【特許文献１】特開平１０−１７２１４７号公報
【発明の開示】
【発明が解決しようとする課題】
【０００９】
しかしながら上記のような従来の光ディスク装置では、光ディスクのミラー領域中に、例えばディスクの種別等を示す各種情報が記録されていたり、文字や模様が印刷されている場合や、さらにキズや汚れがある場合には、光ピックアップがミラー領域中にあるときでも、その光ピックアップからは局所的に大きなレベルのＲＦ信号が出力されることがあり、ピーク信号レベルとボトム信号レベルとの差分値を求めるだけでは、ミラー領域とデータ領域とを確実に判別することができずに失敗することがある。
【００１０】
このような場合には、記録再生対象の領域検出ミスが発生し、ミラー領域とデータ領域との境界が正確に識別することができず、データを確実にデータ領域に対してのみ記録再生することができないという問題点を有していた。
【００１１】
また、ミラー領域とデータ領域を確実に判別するためには、読み取り処理等の処理回数が増大し、目的のデータ領域を判別するまでに無駄な処理時間が多くなり、記録再生時の処理スピードの高速化が難しく、素早くデータの記録再生を開始させることができなくなるという問題点をも有していた。
【００１２】
本発明は、上記従来の問題点を解決するもので、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる光ディスク装置およびその光ディスク領域判別方法を提供する。
【課題を解決するための手段】
【００１３】
上記の課題を解決するために、本発明の請求項１に記載の光ディスク装置は、情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段の計数結果に基づいて、前記光ピックアップが前記第１の領域に位置しているか、前記第２の領域に位置しているか、前記第１の領域と前記第２の領域の境界に位置しているかを判別する判別手段とを備えたことを特徴とする。
【００１４】
また、本発明の請求項２に記載の光ディスク装置は、情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段により前記第１の領域で計数した前記トラック横断本数を記憶する記憶手段と、前記記憶手段に記憶されているトラック横断本数と、前記計数手段により現在位置で前記第１の領域で行った計数と同じ回転回数分だけ計数したトラック横断本数とを比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えたことを特徴とする。
【００１５】
また、本発明の請求項３に記載の光ディスク装置は、情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップをトラッキング方向に振動させるウォブリング手段と、前記ウォブリング手段を動作させて前記光ピックアップに前記振動を与えた状態で前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段の計数結果に基づいて、前記光ピックアップが前記第１の領域に位置しているか、前記第２の領域に位置しているか、前記第１の領域と前記第２の領域の境界に位置しているかを判別する判別手段とを備えたことを特徴とする。
【００１６】
また、本発明の請求項４に記載の光ディスク装置は、情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップをトラッキング方向に振動させるウォブリング手段と、前記ウォブリング手段を動作させて前記光ピックアップに前記振動を与えた状態で前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段により前記第１の領域で計数した前記トラック横断本数を記憶する記憶手段と、前記記憶手段に記憶されているトラック横断本数と、前記計数手段により現在位置で前記第１の領域で行った計数と同じ回転回数分だけ計数したトラック横断本数とを比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えたことを特徴とする。
【００１７】
また、本発明の請求項５に記載の光ディスク装置は、請求項４に記載の光ディスク装置であって、前記記憶手段は、前記ウォブリング手段の非動作時に前記第１の領域で計数した前記トラック横断本数が所定の一定値以上である場合は、そのトラック横断本数を記憶し、前記ウォブリング手段の非動作時に前記第１の領域で計数した前記トラック横断本数が所定の一定値未満である場合は、前記ウォブリング手段を動作させて前記第１の領域で計数した前記トラック横断本数を記憶し、前記比較手段は、前記記憶手段により前記第１の領域で記憶した前記トラック横断本数が前記ウォブリング手段の非動作時のものなら、そのトラック横断本数と、前記ウォブリング手段の非動作時に現在位置で前記計数手段により計数したトラック横断本数とを比較し、前記記憶手段により前記第１の領域で記憶した前記トラック横断本数が前記ウォブリング手段の動作時のものなら、そのトラック横断本数と、前記ウォブリング手段の動作時に現在位置で前記計数手段により計数したトラック横断本数とを比較する構成としたことを特徴とする。
【００１８】
また、本発明の請求項６に記載の光ディスク装置は、情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ディスク１回転をＮ（Ｎは２以上の自然数）個の領域に分けた各領域毎に、前記光ビームのトラック横断本数を前記光ディスクの１回転分、もしくは、Ｍ（Ｍは２以上の自然数）回転分だけ計数する計数手段と、前記計数手段による前記各領域毎の計数結果に基づいて、前記光ピックアップが前記第１の領域に位置しているか、前記第２の領域に位置しているか、前記第１の領域と前記第２の領域の境界に位置しているかを判別する判別手段とを備えたことを特徴とする。
【００１９】
また、本発明の請求項７に記載の光ディスク装置は、請求項６に記載の光ディスク装置であって、前記判別手段は、前記Ｎ個の領域のうち対角線領域の計数値をそれぞれ比較することにより、前記光ピックアップが前記第１の領域に位置しているか、前記第２の領域に位置しているか、前記第１の領域と前記第２の領域の境界に位置しているかを判別する構成としたことを特徴とする。
【００２０】
また、本発明の請求項８に記載の光ディスク装置は、請求項６に記載の光ディスク装置であって、前記第１の領域で前記計数手段により計数したトラック横断本数を前記Ｎ個の各領域ごとに記憶する記憶手段を備え、前記判別手段は、前記Ｎ個の各領域ごとに、現在位置で前記計数手段により計数したトラック横断本数と前記記憶手段に記憶されているトラック横断数とを比較することにより、前記光ピックアップが前記第１の領域に位置しているか、前記第２の領域に位置しているか、前記第１の領域と前記第２の領域の境界に位置しているかを判別する構成としたことを特徴とする。
【００２１】
また、本発明の請求項９に記載の光ディスク装置は、請求項６に記載の光ディスク装置であって、前記判別手段は、前記Ｎ個の領域のうち隣り合う領域の計数値をそれぞれ比較することにより、前記光ピックアップが前記第１の領域に位置しているか、前記第２の領域に位置しているか、前記第１の領域と前記第２の領域の境界に位置しているかを判別する構成としたことを特徴とする。
【００２２】
また、本発明の請求項１０に記載の光ディスク装置は、情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を振動検出動作での計数の時間と同じ回転回数分だけ計数する計数手段と、前記光ディスクの振動検出動作として予め前記計数手段により前記第１の領域で１回転分、もしくは、Ｍ（Ｍは２以上の自然数）回転分だけ計数した前記トラック横断本数を記憶する記憶手段と、前記振動検出時に前記記憶手段に記憶されたトラック横断本数をその基準値として、前記計数手段により現在位置で計数したトラック横断本数と比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えたことを特徴とする。
【００２３】
また、本発明の請求項１１に記載の光ディスク装置は、情報トラックが形成された第１の領域と情報トラックが形成されていない第２の領域とからなる記録面を有する光ディスクの前記記録面に対して情報を記録または再生する光ディスク装置であって、前記光ディスクを回転させるディスク回転手段と、前記ディスク回転手段により回転中の前記光ディスクの記録面に光ビームを照射するとともに、その照射による前記光ディスクの記録面からの反射光を検知する光ピックアップと、前記光ピックアップにより検知した前記記録面からの反射光を基に、前記光ビームが前記記録面の情報トラックを横断したことを示すトラック横断信号を生成するトラック横断信号生成手段と、前記トラック横断信号生成手段により生成されたトラック横断信号を基に、前記光ビームのトラック横断本数を前記光ディスクの１回転分、もしくは、Ｍ（Ｍは２以上の自然数）回転分だけ計数する計数手段と、前記計数手段により前記第１の領域で前記光ディスクの回転速度毎に計数した前記トラック横断本数をそれぞれ記憶する記憶手段と、前記計数手段により現在位置で前記記憶手段に記憶する計数結果を計数した回転回数分だけ計数したトラック横断本数と、前記記憶手段に記憶されているトラック横断本数のうち現在の回転速度に対応するトラック横断本数とを比較する比較手段と、前記比較手段の比較結果に基づいて、前記光ピックアップが前記第１の領域に位置しているか、前記第２の領域に位置しているか、前記第１の領域と前記第２の領域の境界に位置しているかを判別する判別手段とを備えたことを特徴とする。
【００２４】
また、本発明の請求項１２に記載の光ディスク装置は、請求項２、４、５、１０、１１のいずれかに記載の光ディスク装置であって、前記比較手段は、前記計数手段により現在位置で計数したトラック横断本数と、その基準値となるトラック横断本数とを比較して、それらの差を求める構成としたことを特徴とする。
【００２５】
また、本発明の請求項１３に記載の光ディスク装置は、請求項２、４、５、１０、１１のいずれかに記載の光ディスク装置であって、前記比較手段は、前記計数手段により現在位置で計数したトラック横断本数と、その基準値となるトラック横断本数とを比較して、それらの比を求める構成としたことを特徴とする。
【００２６】
また、本発明の請求項１４に記載の光ディスク装置は、請求項２、４、５、１１のいずれかに記載の光ディスク装置であって、前記記憶手段は、前記光ディスクの振動検出動作として予め前記計数手段により前記第１の領域で計数した前記トラック横断本数を記憶する構成としたことを特徴とする。
【００２７】
また、本発明の請求項１５に記載の光ディスク装置は、請求項２、４、５、１０のいずれかに記載の光ディスク装置であって、前記記憶手段は、前記計数手段により前記第１の領域で前記光ディスクの回転速度毎に計数した前記トラック横断本数をそれぞれ記憶するよう構成し、前記比較手段は、前記計数手段により現在位置で計数したトラック横断本数と、前記記憶手段に記憶されているトラック横断本数のうち現在の回転速度に対応するトラック横断本数とを比較するよう構成したことを特徴とする。
【００２８】
また、本発明の請求項１６に記載の光ディスク装置は、請求項１から請求項１５のいずれかに記載の光ディスク装置であって、前記判別手段により前記光ピックアップが前記第２の領域に位置していると判断したときには、前記光ピックアップを所定の方向に所定量移動するよう制御する制御手段を備えたことを特徴とする。
【００２９】
また、本発明の請求項１７に記載の光ディスク装置は、請求項１から請求項１５のいずれかに記載の光ディスク装置であって、前記判別手段により前記光ピックアップの位置か判別できないときには、前記光ピックアップを所定の方向に所定量移動するよう制御する制御手段を備えたことを特徴とする。
【００３０】
また、本発明の請求項１８に記載の光ディスク装置は、請求項１から請求項１５のいずれかに記載の光ディスク装置であって、前記判別手段により前記光ピックアップが前記第１の領域と前記第２の領域の境界に位置していると判別したときには、前記光ピックアップを所定の方向に所定量移動するよう制御する制御手段を備えたことを特徴とする。
【００３１】
また、本発明の請求項１９に記載の光ディスク装置の光ディスク領域判別方法は、情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップの計数結果に基づいて、前記光ピックアップが前記第１の領域に位置しているか、前記第２の領域に位置しているか、前記第１の領域と前記第２の領域の境界に位置しているかを判別するステップとからなる方法としたことを特徴とする。
【００３２】
また、本発明の請求項２０に記載の光ディスク装置の光ディスク領域判別方法は、情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップにより前記第１の領域で計数した前記トラック横断本数を記憶するステップと、前記記憶ステップにより記憶されているトラック横断本数と、前記計数ステップにより現在位置で前記第１の領域で行った計数と同じ回転回数分だけ計数したトラック横断本数とを比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる方法としたことを特徴とする。
【００３３】
また、本発明の請求項２１に記載の光ディスク装置の光ディスク領域判別方法は、情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記光ピックアップをトラッキング方向に振動させてウォブリングするステップと、前記ウォブリングステップにより前記光ピックアップに前記振動を与えた状態で前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップの計数結果に基づいて、前記光ピックアップが前記第１の領域に位置しているか、前記第２の領域に位置しているか、前記第１の領域と前記第２の領域の境界に位置しているかを判別するステップとからなる方法としたことを特徴とする。
【００３４】
また、本発明の請求項２２に記載の光ディスク装置の光ディスク領域判別方法は、情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記光ピックアップをトラッキング方向に振動させてウォブリングするステップと、前記ウォブリングステップにより前記光ピックアップに前記振動を与えた状態で前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップにより前記第１の領域で計数した前記トラック横断本数を記憶するステップと、前記記憶ステップにより記憶されているトラック横断本数と、前記計数ステップにより現在位置で前記第１の領域で行った計数と同じ回転回数分だけ計数したトラック横断本数とを比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる方法としたことを特徴とする。
【００３５】
また、本発明の請求項２３に記載の光ディスク装置の光ディスク領域判別方法は、請求項２２に記載の光ディスク装置の光ディスク領域判別方法であって、前記記憶ステップは、前記ウォブリングの非動作時に前記第１の領域で計数した前記トラック横断本数が所定の一定値以上である場合は、そのトラック横断本数を記憶し、前記ウォブリングの非動作時に前記第１の領域で計数した前記トラック横断本数が所定の一定値未満である場合は、前記ウォブリングを動作させて前記第１の領域で計数した前記トラック横断本数を記憶し、前記比較ステップは、前記記憶ステップにより前記第１の領域で記憶した前記トラック横断本数が前記ウォブリングの非動作時のものなら、そのトラック横断本数と、前記ウォブリングの非動作時に現在位置で前記計数ステップにより計数したトラック横断本数とを比較し、前記記憶ステップにより前記第１の領域で記憶した前記トラック横断本数が前記ウォブリングの動作時のものなら、そのトラック横断本数と、前記ウォブリングの動作時に現在位置で前記計数ステップにより計数したトラック横断本数とを比較する方法としたことを特徴とする。
【００３６】
また、本発明の請求項２４に記載の光ディスク装置の光ディスク領域判別方法は、情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ディスク１回転をＮ（Ｎは２以上の自然数）個の領域に分けた各領域毎に、前記光ビームのトラック横断本数を前記光ディスクの１回転分、もしくは、Ｍ（Ｍは２以上の自然数）回転分だけ計数するステップと、前記計数ステップによる前記各領域毎の計数結果に基づいて、前記光ピックアップが前記第１の領域に位置しているか、前記第２の領域に位置しているか、前記第１の領域と前記第２の領域の境界に位置しているかを判別するステップとからなる方法としたことを特徴とする。
【００３７】
また、本発明の請求項２５に記載の光ディスク装置の光ディスク領域判別方法は、請求項２４に記載の光ディスク装置の光ディスク領域判別方法であって、前記判別ステップは、前記Ｎ個の領域のうち対角線領域の計数値をそれぞれ比較することにより、前記光ピックアップが前記第１の領域に位置しているか、前記第２の領域に位置しているか、前記第１の領域と前記第２の領域の境界に位置しているかを判別する方法としたことを特徴とする。
【００３８】
また、本発明の請求項２６に記載の光ディスク装置の光ディスク領域判別方法は、請求項２４に記載の光ディスク装置の光ディスク領域判別方法であって、前記第１の領域で前記計数ステップにより計数したトラック横断本数を前記Ｎ個の各領域ごとに記憶するステップを有し、前記判別ステップは、前記Ｎ個の各領域ごとに、現在位置で前記計数ステップにより計数したトラック横断本数と前記記憶ステップにより記憶されているトラック横断数とを比較することにより、前記光ピックアップが前記第１の領域に位置しているか、前記第２の領域に位置しているか、前記第１の領域と前記第２の領域の境界に位置しているかを判別する方法としたことを特徴とする。
【００３９】
また、本発明の請求項２７に記載の光ディスク装置の光ディスク領域判別方法は、請求項２４に記載の光ディスク装置の光ディスク領域判別方法であって、前記判別ステップは、前記Ｎ個の領域のうち隣り合う領域の計数値をそれぞれ比較することにより、前記光ピックアップが前記第１の領域に位置しているか、前記第２の領域に位置しているか、前記第１の領域と前記第２の領域の境界に位置しているかを判別する方法としたことを特徴とする。
【００４０】
また、本発明の請求項２８に記載の光ディスク装置の光ディスク領域判別方法は、情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を振動検出動作での計数の時間と同じ回転回数分だけ計数するステップと、前記光ディスクの振動検出動作として予め前記計数ステップにより前記第１の領域で回転分、もしくは、Ｍ（Ｍは２以上の自然数）回転分だけ計数した前記トラック横断本数を記憶するステップと、前記振動検出時に前記記憶ステップにより記憶されたトラック横断本数をその基準値として、前記計数ステップにより現在位置で計数したトラック横断本数と比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる方法としたことを特徴とする。
【００４１】
また、本発明の請求項２９に記載の光ディスク装置の光ディスク領域判別方法は、情報トラックが形成された第１の領域と情報トラックが形成されていない第２の領域とからなる記録面を有する光ディスクの前記記録面に対して情報を記録または再生する光ディスク装置の光ディスク領域判別方法であって、前記光ディスクを回転させるステップと、前記ディスク回転ステップにより回転中の前記光ディスクの記録面に光ピックアップからの光ビームを照射するとともに、その照射による前記光ディスクの記録面からの反射光を前記光ピックアップにより検知するステップと、前記検知ステップにより検知した前記記録面からの反射光を基に、前記光ビームが前記記録面の情報トラックを横断したことを示すトラック横断信号を生成するステップと、前記トラック横断信号生成ステップにより生成されたトラック横断信号を基に、前記光ビームのトラック横断本数を前記光ディスクの１回転分、もしくは、Ｍ（Ｍは２以上の自然数）回転分だけ計数するステップと、前記計数ステップにより前記第１の領域で前記光ディスクの回転速度毎に計数した前記トラック横断本数をそれぞれ記憶するステップと、前記計数ステップにより現在位置で前記記憶ステップで記憶する計数結果を計数した回転回数分だけ計数したトラック横断本数と、前記記憶ステップにより記憶されているトラック横断本数のうち現在の回転速度に対応するトラック横断本数とを比較するステップと、前記比較ステップの比較結果に基づいて、前記光ピックアップが前記第１の領域に位置しているか、前記第２の領域に位置しているか、前記第１の領域と前記第２の領域の境界に位置しているかを判別するステップとからなる方法としたことを特徴とする。
【００４２】
また、本発明の請求項３０に記載の光ディスク装置の光ディスク領域判別方法は、請求項２０、２２、２３、２８、２９のいずれかに記載の光ディスク装置の光ディスク領域判別方法であって、前記比較ステップは、前記計数ステップにより現在位置で計数したトラック横断本数と、その基準値となるトラック横断本数とを比較して、それらの差を求める方法としたことを特徴とする。
【００４３】
また、本発明の請求項３１に記載の光ディスク装置の光ディスク領域判別方法は、請求項２０、２２、２３、２８、２９のいずれかに記載の光ディスク装置の光ディスク領域判別方法であって、前記比較ステップは、前記計数ステップにより現在位置で計数したトラック横断本数と、その基準値となるトラック横断本数とを比較して、それらの比を求める方法としたことを特徴とする。
【００４４】
また、本発明の請求項３２に記載の光ディスク装置の光ディスク領域判別方法は、請求項２０、２２、２３、２９のいずれかに記載の光ディスク装置の光ディスク領域判別方法であって、前記記憶ステップは、前記光ディスクの振動検出動作として予め前記計数ステップにより前記第１の領域で計数した前記トラック横断本数を記憶する方法としたことを特徴とする。
【００４５】
また、本発明の請求項３３に記載の光ディスク装置の光ディスク領域判別方法は、請求項２０、２２、２３、２８のいずれかに記載の光ディスク装置の光ディスク領域判別方法であって、前記記憶ステップは、前記計数ステップにより前記第１の領域で前記光ディスクの回転速度毎に計数した前記トラック横断本数をそれぞれ記憶し、前記比較ステップは、前記計数ステップにより現在位置で計数したトラック横断本数と、前記記憶ステップにより記憶されているトラック横断本数のうち現在の回転速度に対応するトラック横断本数とを比較する方法としたことを特徴とする。
【００４６】
また、本発明の請求項３４に記載の光ディスク装置の光ディスク領域判別方法は、請求項１９から請求項３３のいずれかに記載の光ディスク装置の光ディスク領域判別方法であって、前記判別ステップにより前記光ピックアップが前記第２の領域に位置していると判断したときには、前記光ピックアップを所定の方向に所定量移動するステップを有する方法としたことを特徴とする。
【００４７】
また、本発明の請求項３５に記載の光ディスク装置の光ディスク領域判別方法は、請求項１９から請求項３３のいずれかに記載の光ディスク装置の光ディスク領域判別方法であって、前記判別ステップにより前記光ピックアップの位置か判別できないときには、前記光ピックアップを所定の方向に所定量移動するステップを有する方法としたことを特徴とする。
【００４８】
また、本発明の請求項３６に記載の光ディスク装置の光ディスク領域判別方法は、請求項１９から請求項３３のいずれかに記載の光ディスク装置の光ディスク領域判別方法であって、前記判別ステップにより前記光ピックアップが前記第１の領域と前記第２の領域の境界に位置していると判別したときには、前記光ピックアップを所定の方向に所定量移動するステップを有する方法としたことを特徴とする。
【００４９】
以上により、光ディスクのミラー領域における情報記録状態や情報印刷状態さらにキズや汚れ状態など、ミラー領域面の表面状態がどのような場合でも、その光ディスクのミラー領域とデータ領域とを確実に判別することができる。
【発明の効果】
【００５０】
以上のように本発明によれば、光ディスクのミラー領域における情報記録状態や情報印刷状態さらにキズや汚れ状態など、ミラー領域面の表面状態がどのような場合でも、その光ディスクのミラー領域とデータ領域とを確実に判別することができる。
【００５１】
そのため、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
【発明を実施するための最良の形態】
【００５２】
以下、本発明の実施の形態を示す光ディスク装置およびその光ディスク領域判別方法について、図面を参照しながら具体的に説明する。
本実施の形態の光ディスク装置は、情報トラックが形成された第１の領域であるデータ領域と情報トラックが形成されていない第２の領域であるミラー領域とを有する光ディスクに情報を記録または再生する光ディスク装置であって、この光ディスク装置では、基本的な光ディスク領域判別方法として、光ディスクの記録面において、ミラー領域中の任意の位置に光ピックアップを位置決めした（静止させた）場合に、その領域での文字や模様による局所的なトラック横断信号の示す横断本数が、その他の領域であるデータ領域の任意の位置に光ピックアップを位置決めした（静止させた）場合に、その領域でのトラック横断信号の示す横断本数に比べて少ないため、この差を利用して、光ディスクの記録面におけるミラー領域とデータ領域とを判別するようにしている。
（実施の形態１）
本発明の実施の形態１の光ディスク装置およびその光ディスク領域判別方法を説明する。
【００５３】
図２は本実施の形態１の光ディスク装置における光ディスク領域判別動作に関する構成を示すブロック図である。図２において、２００は情報をデジタル形態で記録するための情報トラックが形成されたデータ領域と情報トラックが形成されていないミラー領域とからなる記録面を有する光ディスク、２０１は光ディスク２００を所定の角速度で回転させるディスク回転手段、２０２はディスク回転手段２０１により回転中の光ディスク２００の記録面に光ビームＢ１を照射するとともに、その照射による光ディスク２００の記録面からの反射光を検知する光ピックアップ、２０３は光ピックアップ２０２に対して光ディスク２００の半径方向への移動を駆動するピックアップ駆動手段、２０４はピックアップ駆動手段２０３により光ピックアップ２０２に対してデータ領域およびミラー領域を移動駆動するためのピックアップ駆動信号を生成するピックアップ駆動信号生成手段、２０５は光ピックアップ２０２により検知した記録面からの反射光を基に、光ビームＢ１が記録面の情報トラックを横断したことを示すトラック横断信号を生成するトラック横断信号生成手段、２０６はトラック横断信号生成手段２０５により生成されたトラック横断信号を基に、光ピックアップ２０２からの光ビームＢ１のトラック横断本数を、回転回数計数手段２１１により得られた光ディスク２００の１回転分、もしくは、Ｍ（Ｍは２以上の自然数）回転分だけ計数するトラック横断本数計数手段、２０７はトラック横断本数計数手段２０６の計数結果に基づいて、光ピックアップ２０２がデータ領域に位置しているか、ミラー領域に位置しているか、あるいはデータ領域とミラー領域の境界に位置しているかを判別する領域判別手段である。
【００５４】
なお、上記の回転回数計数手段２１１による光ディスク２００の回転回数の計数は、例えばＦＧ（ｆｒｅｑｕｅｎｃｙ  ｇｅｎｅｒａｔｏｒ）信号の周期数（個数）を計数することにより行う。このＦＧ信号とは、図２のディスク回転手段２０１から出力される信号であり、スピンドルモーターが１回転する間に、ある決った個数のＦＧ信号が出力される。ＦＧ信号はパルス信号（方形波）であり、具体例を挙げると、例えば、ある場合には、１回転の間に６周期のＦＧ信号が出力され、また、他のある場合には、例えば１回転の間に６周期のＦＧ信号が出力される場合には、半回転の間に３周期のＦＧパルスが出力され、２回転すると、１２周期のＦＧ信号が出力される。このＦＧ信号の個数を計数することによって、光ディスク２００の回転回数を計数することができる。この場合の光ディスク２００の回転回数計数動作については、以下の各実施の形態でも、同様に実行される。
【００５５】
以上のように構成された光ディスク装置の光ディスク領域判別動作を以下に説明する。
図３は本実施の形態１の光ディスク装置における光ディスク領域判別方法を示すフローチャートである。図３に示すように、ステップ２５０では、光ディスク２００をディスク回転手段２０１によって所定の角速度で回転させる。ステップ２５１では、光ピックアップ２０２を、ピックアップ駆動信号生成手段２０４からのピックアップ駆動信号に従って、ピックアップ駆動手段２０３により光ディスク２００の記録面における任意の領域に位置させる。ステップ２５２では、ディスク回転ステップ２５０により回転中の光ディスク２００の記録面に光ピックアップ２０２からの光ビームＢ１を照射し、その照射による光ディスク２００の記録面からの反射光を光ピックアップ２０２により検知する。ステップ２５３では、検知ステップ２５２により検知した記録面からの反射光を基に、トラック横断信号生成手段２０５により光ビームＢ１が記録面の情報トラックを横断したことを示すトラック横断信号を生成する。ステップ２５４では、トラック横断信号生成ステップ２５３により生成されたトラック横断信号を基に、トラック横断本数計数手段２０６により現在位置での光ビームＢ１のトラック横断本数を、回転回数計数手段２１１により得られた光ディスク２００の１回転分、もしくは、Ｍ（Ｍは２以上の自然数）回転分だけ計数する。ステップ２５５では、トラック横断本数計数ステップ２５４による計数結果に基づいて、領域判別手段２０７により、現在、光ピックアップ２０２がデータ領域に位置しているか、ミラー領域に位置しているか、あるいはデータ領域とミラー領域の境界に位置しているかを判別する。
【００５６】
ここでは、領域判別手段２０７により、現在位置でトラック横断本数計数手段２０６により計数したトラック横断本数が、予めデータ領域に対応させて設定したトラック横断本数より少ない場合は、現在、光ピックアップ２０２がミラー領域に位置していると判断し、一方、現在位置でのトラック横断本数が予め設定したトラック横断本数に対して略同じか多い場合は、現在、光ピックアップ２０２がデータ領域に位置していると判断し、それらの判断結果の切り替わり点により、光ピックアップ２０２がデータ領域とミラー領域の境界に位置した時点を判断する。
【００５７】
以上により、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
（実施の形態２）
本発明の実施の形態２の光ディスク装置およびその光ディスク領域判別方法を説明する。
【００５８】
図４は本実施の形態２の光ディスク装置における光ディスク領域判別動作に関する構成を示すブロック図である。図４において、３００は情報をデジタル形態で記録するための情報トラックが形成されたデータ領域と情報トラックが形成されていないミラー領域とからなる記録面を有する光ディスク、３０１は光ディスク３００を所定の角速度で回転させるディスク回転手段、３０２はディスク回転手段３０１により回転中の光ディスク３００の記録面に光ビームＢ１を照射するとともに、その照射による光ディスク３００の記録面からの反射光を検知する光ピックアップ、３０３は光ピックアップ３０２に対して光ディスク３００の半径方向への移動を駆動するピックアップ駆動手段、３０４はピックアップ駆動手段３０３により光ピックアップ３０２に対してデータ領域およびミラー領域を移動駆動するためのピックアップ駆動信号を生成するピックアップ駆動信号生成手段、３０５は光ピックアップ３０２により検知した記録面からの反射光を基に、光ビームＢ１が記録面の情報トラックを横断したことを示すトラック横断信号を生成するトラック横断信号生成手段、３０６はトラック横断信号生成手段３０５により生成されたトラック横断信号を基に、光ピックアップ３０２からの光ビームＢ１のトラック横断本数を、回転回数計数手段３１１により得られた光ディスク３００の１回転分、もしくは、Ｍ（Ｍは２以上の自然数）回転分だけ計数するトラック横断本数計数手段、３０８は光ディスク３００の記録面におけるデータ領域でトラック横断本数計数手段３０６により計数した光ビームＢ１のトラック横断本数を記憶するデータ領域横断本数記憶手段、３０９はデータ領域横断本数記憶手段３０８に記憶されているトラック横断本数と、トラック横断本数計数手段３０６により計数した現在位置でのトラック横断本数とを比較する横断本数比較手段、３０７は横断本数比較手段３０９の比較結果に基づいて、光ピックアップ３０２がデータ領域に位置しているか、ミラー領域に位置しているか、あるいはデータ領域とミラー領域の境界に位置しているかを判別する領域判別手段である。
【００５９】
以上のように構成された光ディスク装置の光ディスク領域判別動作を以下に説明する。
図５は本実施の形態２の光ディスク装置における光ディスク領域判別方法を示すフローチャートである。図５に示すように、ステップ３５０では、光ディスク３００をディスク回転手段３０１によって所定の角速度で回転させる。ステップ３５１では、光ピックアップ３０２を、予め、ピックアップ駆動信号生成手段３０４からのピックアップ駆動信号に従って、ピックアップ駆動手段３０３により光ディスク３００の記録面におけるデータ領域に位置させる。ステップ３５２では、ディスク回転ステップ３５０により回転中の光ディスク３００の記録面に光ピックアップ３０２からの光ビームＢ１を照射し、その照射による光ディスク３００の記録面からの反射光を光ピックアップ３０２により検知する。ステップ３５３では、検知ステップ３５２により検知した記録面からの反射光を基に、トラック横断信号生成手段３０５により光ビームＢ１が記録面の情報トラックを横断したことを示すトラック横断信号を生成する。ステップ３５４では、トラック横断信号生成ステップ３５３により生成されたトラック横断信号を基に、トラック横断本数計数手段３０６により光ビームＢ１のトラック横断本数を、回転回数計数手段３１１により得られた光ディスク３００の１回転分、もしくは、Ｍ（Ｍは２以上の自然数）回転分だけ計数する。ステップ３５５では、トラック横断本数計数ステップ３５４により計数したトラック横断数を、光ピックアップ３０２がデータ領域に位置した状態でのトラック横断本数として、データ領域横断本数記憶手段３０８に記憶する。ステップ３５６では、光ピックアップ３０２を、ピックアップ駆動信号生成手段３０４からのピックアップ駆動信号に従って、ピックアップ駆動手段３０３により移動させて光ディスク３００の記録面における任意の領域に位置させる。ステップ３５７では、ディスク回転ステップ３５０により回転中の光ディスク３００の記録面に光ピックアップ３０２からの光ビームＢ１を照射し、その照射による光ディスク３００の記録面からの反射光を光ピックアップ３０２により検知する。ステップ３５８では、検知ステップ３５７により検知した記録面からの反射光を基に、トラック横断信号生成手段３０５により光ビームＢ１が記録面の情報トラックを横断したことを示すトラック横断信号を生成する。ステップ３５９では、トラック横断信号生成ステップ３５８により生成されたトラック横断信号を基に、トラック横断本数計数手段３０６により現在位置での光ビームＢ１のトラック横断本数をステップ３５４で計数した回転回数分と同数の回転回数分だけ計数する。ステップ３６０では、記憶ステップ３５５により予めデータ領域横断本数記憶手段３０８に記憶したトラック横断本数と、トラック横断本数計数ステップ３５９により計数した現在位置でのトラック横断数とを、横断本数比較手段３０９により比較する。ステップ３６１では、比較ステップ３６０の比較結果に基づいて、領域判別手段３０７により、現在、光ピックアップ３０２がデータ領域に位置しているか、ミラー領域に位置しているか、あるいはデータ領域とミラー領域の境界に位置しているかを判別する。
【００６０】
ここでは、領域判別手段３０７により、現在位置で計数したトラック横断本数が、予めデータ領域横断本数記憶手段３０８に記憶したトラック横断本数より少ない場合は、現在、光ピックアップ３０２がミラー領域に位置していると判断し、一方、現在位置でのトラック横断本数と記憶したトラック横断本数とが略同じ場合は、現在、光ピックアップ３０２がデータ領域に位置していると判断し、それらの判断結果の切り替わり点により、データ領域とミラー領域の境界に位置した時点を判断する。
【００６１】
以上により、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
【００６２】
また、ミラー領域の欠陥、文字、模様などによって、ミラー領域でのトラック横断本数の計数結果が、ミラー領域の欠陥、文字、模様などがないときよりも大きくなる場合、予めデータ領域に対応させて設定したトラック横断本数よりも、ミラー領域でのトラック横断本数の計数結果が大きくなり、判断を誤るおそれがある。
【００６３】
これに対して、本実施の形態の装置および方法により、ミラー領域の欠陥、文字、模様などによって、ミラー領域でのトラック横断本数の計数結果が、予めデータ領域に対応させて設定したトラック横断本数よりも大きくなる場合でも、データ領域でのトラック横断本数の計数結果と比較することによって、現在の光ピックアップの位置がミラー領域であるのか、データ領域であるのかを正しく判断することができる。
（実施の形態３）
本発明の実施の形態３の光ディスク装置およびその光ディスク領域判別方法を説明する。
【００６４】
図６は本実施の形態３の光ディスク装置における光ディスク領域判別動作に関する構成を示すブロック図である。図６において、４００は情報をデジタル形態で記録するための情報トラックが形成されたデータ領域と情報トラックが形成されていないミラー領域とからなる記録面を有する光ディスク、４０１は光ディスク４００を所定の角速度で回転させるディスク回転手段、４０２はディスク回転手段４０１により回転中の光ディスク４００の記録面に光ビームＢ１を照射するとともに、その照射による光ディスク４００の記録面からの反射光を検知する光ピックアップ、４０３は光ピックアップ４０２に対して光ディスク４００の半径方向への移動を駆動するピックアップ駆動手段、４０４はピックアップ駆動手段４０３により光ピックアップ４０２に対してデータ領域およびミラー領域を移動駆動するためのピックアップ駆動信号を生成するピックアップ駆動信号生成手段、４１０はピックアップ駆動手段４０３を通じて光ピックアップ４０２をトラッキング方向に振動させるウォブリング動作を行うためのウォブリング信号を生成し、ピックアップ駆動手段４０３に供給するウォブリング手段、４０５はウォブリング手段４１０によるウォブリング動作状態にある光ピックアップ４０２により検知した記録面からの反射光を基に、光ビームＢ１が記録面の情報トラックを横断したことを示すトラック横断信号を生成するトラック横断信号生成手段、４０６はトラック横断信号生成手段４０５により生成されたトラック横断信号を基に、光ピックアップ４０２からの光ビームＢ１のトラック横断本数を、回転回数計数手段４１１により得られた光ディスク４００の１回転分、もしくは、Ｍ（Ｍは２以上の自然数）回転分だけ計数するトラック横断本数計数手段、４０７はトラック横断本数計数手段４０６の計数結果に基づいて、光ピックアップ４０２がデータ領域に位置しているか、ミラー領域に位置しているか、あるいはデータ領域とミラー領域の境界に位置しているかを判別する領域判別手段である。
【００６５】
以上のように構成された光ディスク装置の光ディスク領域判別動作を以下に説明する。
図７は本実施の形態３の光ディスク装置における光ディスク領域判別方法を示すフローチャートである。図７に示すように、ステップ４５０では、光ディスク４００をディスク回転手段４０１によって所定の角速度で回転させる。ステップ４５１では、光ピックアップ４０２を、ピックアップ駆動信号生成手段４０４からのピックアップ駆動信号に従って、ピックアップ駆動手段４０３により光ディスク４００の記録面における任意の領域に位置させる。ステップ４５２では、光ピックアップ４０２をトラッキング方向に振動させてウォブリングする。ステップ４５３では、ウォブリングステップ４５２により光ピックアップ４０２にトラッキング方向の振動を与えた状態で、ディスク回転ステップ４５０により回転中の光ディスク４００の記録面に光ピックアップ４０２からの光ビームＢ１を照射し、その照射による光ディスク４００の記録面からの反射光を光ピックアップ４０２により検知する。ステップ４５４では、検知ステップ４５３により検知した記録面からの反射光を基に、トラック横断信号生成手段４０５により光ビームＢ１が記録面の情報トラックを横断したことを示すトラック横断信号を生成する。ステップ４５５では、トラック横断信号生成ステップ４５４により生成されたトラック横断信号を基に、トラック横断本数計数手段４０６により現在位置での光ビームＢ１のトラック横断本数を、回転回数計数手段４１１により得られた光ディスク４００の１回転分、もしくは、Ｍ（Ｍは２以上の自然数）回転分だけ計数する。ステップ４５６では、トラック横断本数計数ステップ４５５による計数結果に基づいて、領域判別手段４０７により、現在、光ピックアップ４０２がデータ領域に位置しているか、ミラー領域に位置しているか、あるいはデータ領域とミラー領域の境界に位置しているかを判別する。
【００６６】
ここでは、ウォブリング手段４１０により光ピックアップ４０２にトラッキング方向の振動を与えてウォブリングさせた状態で、領域判別手段４０７により、現在位置でトラック横断本数計数手段４０６により計数したトラック横断本数が、予めデータ領域に対応させて設定したトラック横断本数より少ない場合は、現在、光ピックアップ４０２がミラー領域に位置していると判断し、一方、現在位置でのトラック横断本数が予め設定したトラック横断本数に対して略同じか多い場合は、現在、光ピックアップ４０２がデータ領域に位置していると判断し、それらの判断結果の切り替わり点により、光ピックアップ４０２がデータ領域とミラー領域の境界に位置した時点を判断する。
【００６７】
以上により、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
【００６８】
また、光ディスクの偏芯量が小さい場合、データ領域でのトラック横断本数の計数結果が小さくなり、現在の光ピックアップの位置がミラー領域であるのか、データ領域であるのかを正しく判断できないおそれがある。
【００６９】
これに対して、本実施の形態の装置および方法により、光ディスクの偏芯量が小さく、もしウォブリングさせないときにデータ領域でのトラック横断本数の計数結果が小さくなる場合でも、もし現在の光ピックアップの位置がデータ領域であるとき、ウォブリングによりトラック横断本数が大きくなり、現在の光ピックアップの位置がミラー領域であるのか、データ領域であるのかを正しく判断することができる。
（実施の形態４）
本発明の実施の形態４の光ディスク装置およびその光ディスク領域判別方法を説明する。
【００７０】
図８は本実施の形態４の光ディスク装置における光ディスク領域判別動作に関する構成を示すブロック図である。図８において、５００は情報をデジタル形態で記録するための情報トラックが形成されたデータ領域と情報トラックが形成されていないミラー領域とからなる記録面を有する光ディスク、５０１は光ディスク５００を所定の角速度で回転させるディスク回転手段、５０２はディスク回転手段５０１により回転中の光ディスク５００の記録面に光ビームＢ１を照射するとともに、その照射による光ディスク５００の記録面からの反射光を検知する光ピックアップ、５０３は光ピックアップ５０２に対して光ディスク５００の半径方向への移動を駆動するピックアップ駆動手段、５０４はピックアップ駆動手段５０３により光ピックアップ５０２に対してデータ領域およびミラー領域を移動駆動するためのピックアップ駆動信号を生成するピックアップ駆動信号生成手段、５１０はピックアップ駆動手段５０３を通じて光ピックアップ５０２をトラッキング方向に振動させるウォブリング動作を行うためのウォブリング信号を生成し、ピックアップ駆動手段５０３に供給するウォブリング手段、５０５はウォブリング手段５１０によるウォブリング動作状態にある光ピックアップ５０２により検知した記録面からの反射光を基に、光ビームＢ１が記録面の情報トラックを横断したことを示すトラック横断信号を生成するトラック横断信号生成手段、５０６はトラック横断信号生成手段５０５により生成されたトラック横断信号を基に、光ピックアップ５０２からの光ビームＢ１のトラック横断本数を、回転回数計数手段５１１により得られた光ディスク５００の１回転分、もしくは、Ｍ（Ｍは２以上の自然数）回転分だけ計数するトラック横断本数計数手段、５０８は光ディスク５００の記録面におけるデータ領域でトラック横断本数計数手段５０６により計数した光ビームＢ１のトラック横断本数を記憶するデータ領域横断本数記憶手段、５０９はデータ領域横断本数記憶手段５０８に記憶されているトラック横断本数と、トラック横断本数計数手段５０６により計数した現在位置でのトラック横断本数とを比較する横断本数比較手段、５０７は横断本数比較手段５０９の比較結果に基づいて、光ピックアップ５０２がデータ領域に位置しているか、ミラー領域に位置しているか、あるいはデータ領域とミラー領域の境界に位置しているかを判別する領域判別手段である。
【００７１】
以上のように構成された光ディスク装置の光ディスク領域判別動作を以下に説明する。
図９は本実施の形態４の光ディスク装置における光ディスク領域判別方法を示すフローチャートである。図９に示すように、ステップ５５０では、光ディスク５００をディスク回転手段５０１によって所定の角速度で回転させる。ステップ５５１では、光ピックアップ５０２を、予め、ピックアップ駆動信号生成手段５０４からのピックアップ駆動信号に従って、ピックアップ駆動手段５０３により光ディスク５００の記録面におけるデータ領域に位置させる。ステップ５５２では、光ピックアップ５０２をトラッキング方向に振動させてウォブリングする。ステップ５５３では、ウォブリングステップ５５２により光ピックアップ５０２にトラッキング方向の振動を与えた状態で、ディスク回転ステップ５５０により回転中の光ディスク５００の記録面に光ピックアップ５０２からの光ビームＢ１を照射し、その照射による光ディスク５００の記録面からの反射光を光ピックアップ５０２により検知する。ステップ５５４では、検知ステップ５５３により検知した記録面からの反射光を基に、トラック横断信号生成手段５０５により光ビームＢ１が記録面の情報トラックを横断したことを示すトラック横断信号を生成する。ステップ５５５では、トラック横断信号生成ステップ５５４により生成されたトラック横断信号を基に、トラック横断本数計数手段５０６により光ビームＢ１のトラック横断本数を、回転回数計数手段５１１により得られた光ディスク５００の１回転分、もしくは、Ｍ（Ｍは２以上の自然数）回転分だけ計数する。ステップ５５６では、トラック横断本数計数ステップ５５５により計数したトラック横断数を、光ピックアップ５０２がデータ領域に位置した状態でのトラック横断本数として、データ領域横断本数記憶手段５０８に記憶する。ステップ５５７では、光ピックアップ５０２を、ピックアップ駆動信号生成手段５０４からのピックアップ駆動信号に従って、ピックアップ駆動手段５０３により移動させて光ディスク５００の記録面における任意の領域に位置させる。ステップ５５８では、ディスク回転ステップ５５０により回転中の光ディスク５００の記録面に光ピックアップ５０２からの光ビームＢ１を照射し、その照射による光ディスク５００の記録面からの反射光を光ピックアップ５０２により検知する。ステップ５５９では、検知ステップ５５８により検知した記録面からの反射光を基に、トラック横断信号生成手段５０５により光ビームＢ１が記録面の情報トラックを横断したことを示すトラック横断信号を生成する。ステップ５６０では、トラック横断信号生成ステップ５５９により生成されたトラック横断信号を基に、トラック横断本数計数手段５０６により現在位置での光ビームＢ１のトラック横断本数をステップ５５５で計数した時間と同数の回転回数分だけ計数する。ステップ５６１では、記憶ステップ５５６により予めデータ領域横断本数記憶手段５０８に記憶したトラック横断本数と、トラック横断本数計数ステップ５６０により計数した現在位置でのトラック横断数とを、横断本数比較手段５０９により比較する。ステップ５６２では、比較ステップ５６１の比較結果に基づいて、領域判別手段５０７により、現在、光ピックアップ５０２がデータ領域に位置しているか、ミラー領域に位置しているか、あるいはデータ領域とミラー領域の境界に位置しているかを判別する。
【００７２】
ここでは、ウォブリング手段５１０により光ピックアップ５０２にトラッキング方向の振動を与えてウォブリングさせた状態で、領域判別手段５０７により、現在位置で計数したトラック横断本数が、予めデータ領域横断本数記憶手段５０８に記憶したトラック横断本数より少ない場合は、現在、光ピックアップ５０２がミラー領域に位置していると判断し、一方、現在位置でのトラック横断本数と記憶したトラック横断本数とが略同じ場合は、現在、光ピックアップ５０２がデータ領域に位置していると判断し、それらの判断結果の切り替わり点により、データ領域とミラー領域の境界に位置した時点を判断する。
【００７３】
以上により、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
【００７４】
また、ミラー領域の欠陥、文字、模様などによって、ミラー領域でのトラック横断本数の計数結果が、ミラー領域の欠陥、文字、模様などがないときよりも大きくなる場合、予めデータ領域に対応させて設定したトラック横断本数よりもミラー領域でのトラック横断本数の計数結果が大きくなり、判断を誤るおそれがある。
【００７５】
また、光ディスクの偏芯量が小さい場合、データ領域でのトラック横断本数の計数結果が小さくなり、現在の光ピックアップの位置がミラー領域であるのか、データ領域であるのかを正しく判断できないおそれがある。
【００７６】
これらに対して、本実施の形態の装置および方法により、ミラー領域の欠陥、文字、模様などによって、ミラー領域でのトラック横断本数の計数結果が、予めデータ領域に対応させて設定したトラック横断本数よりも大きくなる場合でも、データ領域でのトラック横断本数の計数結果と比較することによって、現在の光ピックアップの位置がミラー領域であるのか、データ領域であるのかを正しく判断することができ、また、光ディスクの偏芯量が小さく、もしウォブリングさせないときにデータ領域でのトラック横断本数の計数結果が小さくなる場合でも、もし現在の光ピックアップの位置がデータ領域であるとき、ウォブリングによりトラック横断本数が大きくなり、現在の光ピックアップの位置がミラー領域であるのか、データ領域であるのかを正しく判断することができる。
【００７７】
なお、本実施の形態４において、データ領域横断本数記憶手段５０８は、ウォブリング手段５１０の非動作時にデータ領域で計数したトラック横断本数が所定の一定値以上である場合は、そのトラック横断本数を記憶し、ウォブリング手段５１０の非動作時にデータ領域で計数したトラック横断本数が所定の一定値未満である場合は、ウォブリング手段５１０を動作させてデータ領域で計数したトラック横断本数を記憶し、横断本数比較手段５０９は、データ領域横断本数記憶手段５０８によりデータ領域で記憶したトラック横断本数がウォブリング手段５１０の非動作時のものなら、そのトラック横断本数と、ウォブリング手段５１０の非動作時に現在位置でトラック横断本数計数手段５０６により数したトラック横断本数とを比較し、データ領域横断本数記憶手段５０８によりデータ領域で記憶したトラック横断本数がウォブリング手段５１０の動作時のものなら、そのトラック横断本数と、ウォブリング手段５１０の動作時に現在位置でトラック横断本数計数手段５０６により計数したトラック横断本数とを比較するように構成することもできる。
【００７８】
以上のように構成された光ディスク装置では、記憶ステップ５５６で、ウォブリング手段５１０の非動作時にデータ領域で計数したトラック横断本数が所定の一定値以上である場合は、そのトラック横断本数を、データ領域横断本数記憶手段５０８に記憶し、ウォブリング手段５１０の非動作時にデータ領域で計数したトラック横断本数が所定の一定値未満である場合は、ウォブリング手段５１０を動作させてデータ領域で計数したトラック横断本数を、データ領域横断本数記憶手段５０８に記憶し、比較ステップ５６１で、記憶ステップ５５６によりデータ領域でデータ領域横断本数記憶手段５０８に記憶したトラック横断本数がウォブリング手段５１０の非動作時のものなら、そのトラック横断本数と、ウォブリング手段５１０の非動作時に現在位置でトラック横断本数計数ステップ５６０により計数したトラック横断本数とを比較し、記憶ステップ５５６によりデータ領域でデータ領域横断本数記憶手段５０８に記憶したトラック横断本数がウォブリング手段５１０の動作時のものなら、そのトラック横断本数と、ウォブリング手段５１０の動作時に現在位置でトラック横断本数計数ステップ５６０により計数したトラック横断本数とを比較する。
（実施の形態５）
本発明の実施の形態５の光ディスク装置およびその光ディスク領域判別方法を説明する。
【００７９】
図１０は本実施の形態５の光ディスク装置における光ディスク領域判別動作に関する構成を示すブロック図である。図１０において、６００は情報をデジタル形態で記録するための情報トラックが形成されたデータ領域と情報トラックが形成されていないミラー領域とからなる記録面を有する光ディスク、６０１は光ディスク６００を所定の角速度で回転させるディスク回転手段、６０２はディスク回転手段６０１により回転中の光ディスク６００の記録面に光ビームＢ１を照射するとともに、その照射による光ディスク６００の記録面からの反射光を検知する光ピックアップ、６０３は光ピックアップ６０２に対して光ディスク６００の半径方向への移動を駆動するピックアップ駆動手段、６０４はピックアップ駆動手段６０３により光ピックアップ６０２に対してデータ領域およびミラー領域を移動駆動するためのピックアップ駆動信号を生成するピックアップ駆動信号生成手段、６０５は光ピックアップ６０２により検知した記録面からの反射光を基に、光ビームＢ１が記録面の情報トラックを横断したことを示すトラック横断信号を生成するトラック横断信号生成手段、６０６はトラック横断信号生成手段６０５により生成されたトラック横断信号を基に、光ディスク１回転をＮ（Ｎは２以上の自然数）個の領域に分けた各領域毎に、光ピックアップ６０２からの光ビームＢ１のトラック横断本数を、回転回数計数手段６１１により得られた光ディスク６００の１回転分、もしくは、Ｍ（Ｍは２以上の自然数）回転分だけ計数するトラック横断本数計数手段、６０７はトラック横断本数計数手段６０６による各領域毎の計数結果に基づいて、各領域毎に、光ピックアップ６０２がデータ領域に位置しているか、ミラー領域に位置しているか、あるいはデータ領域とミラー領域の境界に位置しているかを判別する領域判別手段である。
【００８０】
以上のように構成された光ディスク装置の光ディスク領域判別動作を以下に説明する。
図１１は本実施の形態５の光ディスク装置における光ディスク領域判別方法を示すフローチャートである。図１１に示すように、ステップ６５０では、光ディスク６００をディスク回転手段６０１によって所定の角速度で回転させる。ステップ６５１では、光ピックアップ６０２を、ピックアップ駆動信号生成手段６０４からのピックアップ駆動信号に従って、ピックアップ駆動手段６０３により光ディスク６００の記録面における任意の領域に位置させる。ステップ６５２では、ディスク回転ステップ６５０により回転中の光ディスク６００の記録面に光ピックアップ６０２からの光ビームＢ１を照射し、その照射による光ディスク６００の記録面からの反射光を光ピックアップ６０２により検知する。ステップ６５３では、検知ステップ６５２により検知した記録面からの反射光を基に、トラック横断信号生成手段６０５により光ビームＢ１が記録面の情報トラックを横断したことを示すトラック横断信号を生成する。ステップ６５４では、トラック横断信号生成ステップ６５３により生成されたトラック横断信号を基に、光ディスク１回転をＮ（Ｎは２以上の自然数）個の領域に分けた各領域毎に、光ビームＢ１のトラック横断本数を、回転回数計数手段６１１により得られた光ディスク６００の１回転分、もしくは、Ｍ（Ｍは２以上の自然数）回転分だけ計数する。ステップ６５５では、トラック横断本数計数ステップ６５４による各領域毎の計数結果に基づいて、光ピックアップ６０２がデータ領域に位置しているか、ミラー領域に位置しているか、データ領域とミラー領域の境界に位置しているかを判別する。
【００８１】
ここでは、光ディスク１回転をＮ（Ｎは２以上の自然数）個の領域に分けた各領域毎に、領域判別手段６０７により、現在位置でトラック横断本数計数手段６０６により計数したトラック横断本数が、予めデータ領域に対応させて設定したトラック横断本数より少ない場合は、現在、光ピックアップ６０２がミラー領域に位置していると判断し、一方、現在位置でのトラック横断本数が予め設定したトラック横断本数に対して略同じか多い場合は、現在、光ピックアップ６０２がデータ領域に位置していると判断し、それらの判断結果の切り替わり点により、光ピックアップ６０２がデータ領域とミラー領域の境界に位置した時点を判断する。
【００８２】
この場合、Ｎ個の領域に分けた計数結果を、例えば、各領域の計数結果の平均値を使って判断することによって、あるいは、各領域の計数結果のうち最大値と最小値を除いた計数結果の合計を使って判断することによって、局所的な影響を取り除いた計数結果で判断し、現在の光ピックアップの位置がミラー領域であるのか、データ領域であるのかを正しく判断することができる。
【００８３】
以上により、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
【００８４】
また、光ディスク上の局所的な欠陥により、現在の光ピックアップの位置がミラー領域であるのか、データ領域であるのかの判断を誤るおそれがある。
この場合にも、本実施の形態の装置および方法により、光ディスク上の局所的な欠陥、文字、模様などの影響を減らして、現在の光ピックアップの位置がミラー領域であるのか、データ領域であるのかを正しく判断することができる。
【００８５】
なお、本実施の形態５において、領域判別手段は、Ｎ個の領域のうち対角線領域の計数値をそれぞれ比較することにより、光ピックアップがデータ領域に位置しているか、ミラー領域に位置しているか、データ領域とミラー領域の境界に位置しているかを判別するように構成することもできる。
【００８６】
以上のように構成された光ディスク装置では、領域判別ステップで、Ｎ個の領域のうち対角線領域の計数値をそれぞれ比較することにより、光ピックアップがデータ領域に位置しているか、ミラー領域に位置しているか、データ領域とミラー領域の境界に位置しているかを判別する。
【００８７】
また、本実施の形態５において、データ領域でトラック横断本数計数手段により計数したトラック横断本数をＮ個の各領域ごとに記憶するデータ領域横断本数記憶手段を備え、領域判別手段は、Ｎ個の各領域ごとに、現在位置でトラック横断本数計数手段により計数したトラック横断本数とデータ領域横断本数記憶手段に記憶されているトラック横断数とを比較することにより、光ピックアップがデータ領域に位置しているか、ミラー領域に位置しているか、データ領域とミラー領域の境界に位置しているかを判別するように構成することもできる。
【００８８】
以上のように構成された光ディスク装置では、データ領域でトラック横断本数計数ステップにより計数したトラック横断本数をＮ個の各領域ごとに記憶するステップを有し、領域判別ステップで、Ｎ個の各領域ごとに、現在位置でトラック横断本数計数ステップにより計数したトラック横断本数と記憶ステップにより記憶されているトラック横断数とを比較することにより、光ピックアップがデータ領域に位置しているか、ミラー領域に位置しているか、データ領域とミラー領域の境界に位置しているかを判別する。
【００８９】
また、本実施の形態５において、領域判別手段は、Ｎ個の領域のうち隣り合う領域の計数値をそれぞれ比較することにより、光ピックアップがデータ領域に位置しているか、ミラー領域に位置しているか、データ領域とミラー領域の境界に位置しているかを判別するように構成することもできる。
【００９０】
以上のように構成された光ディスク装置では、領域判別ステップで、Ｎ個の領域のうち隣り合う領域の計数値をそれぞれ比較することにより、光ピックアップがデータ領域に位置しているか、ミラー領域に位置しているか、データ領域とミラー領域の境界に位置しているかを判別する。
（実施の形態６）
本発明の実施の形態６の光ディスク装置およびその光ディスク領域判別方法を説明する。
【００９１】
図１２は本実施の形態６の光ディスク装置における光ディスク領域判別動作に関する構成を示すブロック図である。図１２において、７００は情報をデジタル形態で記録するための情報トラックが形成されたデータ領域と情報トラックが形成されていないミラー領域とからなる記録面を有する光ディスク、７０１は光ディスク７００を所定の角速度で回転させるディスク回転手段、７０２はディスク回転手段７０１により回転中の光ディスク７００の記録面に光ビームＢ１を照射するとともに、その照射による光ディスク７００の記録面からの反射光を検知する光ピックアップ、７０３は光ピックアップ７０２に対して光ディスク７００の半径方向への移動を駆動するピックアップ駆動手段、７０４はピックアップ駆動手段７０３により光ピックアップ７０２に対してデータ領域およびミラー領域を移動駆動するためのピックアップ駆動信号を生成するピックアップ駆動信号生成手段、７０５は光ピックアップ７０２により検知した記録面からの反射光を基に、光ビームＢ１が記録面の情報トラックを横断したことを示すトラック横断信号を生成するトラック横断信号生成手段、７０６はトラック横断信号生成手段７０５により生成されたトラック横断信号を基に、光ピックアップ７０２からの光ビームＢ１のトラック横断本数を振動検出動作でトラック横断本数を計数した回転回数と同数の回転回数分だけ計数するトラック横断本数計数手段、７０７は光ディスク７００の偏重心により発生する振動を検出するための振動検出機能を動作させた状態で、予め光ディスク７００の記録面におけるデータ領域でトラック横断本数計数手段７０６により計数した光ビームＢ１のトラック横断本数を記憶するデータ領域横断本数記憶手段、７０８は振動検出時に得られデータ領域横断本数記憶手段７０７に記憶されたトラック横断本数をその基準値として、トラック横断本数計数手段７０６により計数した現在位置でのトラック横断本数とを比較する横断本数比較手段、７０９は横断本数比較手段７０８の比較結果に基づいて、光ピックアップ７０２がデータ領域に位置しているか、ミラー領域に位置しているか、あるいはデータ領域とミラー領域の境界に位置しているかを判別する領域判別手段である。
【００９２】
以上のように構成された光ディスク装置の光ディスク領域判別動作を以下に説明する。
図１３は本実施の形態６の光ディスク装置における光ディスク領域判別方法を示すフローチャートである。図１３に示すように、ステップ７５０では、光ディスク７００をディスク回転手段７０１によって所定の角速度で回転させる。ステップ７５１では、光ピックアップ７０２を、予め、ピックアップ駆動信号生成手段７０４からのピックアップ駆動信号に従って、ピックアップ駆動手段７０３により光ディスク７００の記録面におけるデータ領域に位置させる。ステップ７５２では、光ディスク７００の偏重心により発生する振動を検出するための振動検出機能を動作させる。ステップ７５３では、光ディスク７００の振動検出動作中に、ディスク回転ステップ７５０により回転中の光ディスク７００の記録面に光ピックアップ７０２からの光ビームＢ１を照射し、その照射による光ディスク７００の記録面からの反射光を光ピックアップ７０２により検知する。ステップ７５４では、検知ステップ７５３により検知した記録面からの反射光を基に、トラック横断信号生成手段７０５により光ビームＢ１が記録面の情報トラックを横断したことを示すトラック横断信号を生成する。ステップ７５５では、トラック横断信号生成ステップ７５４により生成されたトラック横断信号を基に、トラック横断本数計数手段７０６により光ビームＢ１のトラック横断本数を、回転回数計数手段７１１により得られた光ディスク７００の１回転分、もしくは、Ｍ（Ｍは２以上の自然数）回転分だけ計数する。ステップ７５６では、トラック横断本数計数ステップ７５５により計数したトラック横断本数を、光ディスク７００の振動検出動作中に光ピックアップ７０２がデータ領域に位置した状態でのトラック横断本数として、データ領域横断本数記憶手段７０７に記憶する。ステップ７５７では、光ピックアップ７０２を、ピックアップ駆動信号生成手段７０４からのピックアップ駆動信号に従って、ピックアップ駆動手段７０３により移動させて光ディスク７００の記録面における任意の領域に位置させる。ステップ７５８では、ディスク回転ステップ７５０により回転中の光ディスク７００の記録面に光ピックアップ７０２からの光ビームＢ１を照射し、その照射による光ディスク７００の記録面からの反射光を光ピックアップ７０２により検知する。ステップ７５９では、検知ステップ７５８により検知した記録面からの反射光を基に、トラック横断信号生成手段７０５により光ビームＢ１が記録面の情報トラックを横断したことを示すトラック横断信号を生成する。ステップ７６０では、トラック横断信号生成ステップ７５９により生成されたトラック横断信号を基に、トラック横断本数計数手段７０６により現在位置での光ビームＢ１のトラック横断本数をステップ７５５でトラック横断本数を計数した回転回数分と同数の回転回数分だけ計数する。ステップ７６１では、振動検出時に記憶ステップ７５６により記憶されたトラック横断本数をその基準値として、トラック横断本数計数ステップ７６０により現在位置で計数したトラック横断本数とを、横断本数比較手段７０８で比較する。ステップ７６２では、比較ステップ７６１の比較結果に基づいて、光ピックアップ７０２がデータ領域に位置しているか、ミラー領域に位置しているか、データ領域とミラー領域の境界に位置しているかを判別する。
【００９３】
ここでは、領域判別手段７０９により、現在位置で計数したトラック横断本数が、光ディスク７００の振動検出動作中に予めデータ領域横断本数記憶手段７０７に記憶したトラック横断本数より少ない場合は、現在、光ピックアップ７０２がミラー領域に位置していると判断し、一方、現在位置でのトラック横断本数と記憶したトラック横断本数とが略同じ場合は、現在、光ピックアップ７０２がデータ領域に位置していると判断し、それらの判断結果の切り替わり点により、データ領域とミラー領域の境界に位置した時点を判断する。
【００９４】
以上により、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
【００９５】
また、本実施の形態の装置および方法により、比較手段、あるいは、比較ステップで使用する基準値を測定する手間が省け、より短い時間で、現在の光ピックアップの位置がミラー領域であるのか、データ領域であるのかを正しく判断することができる。
（実施の形態７）
本発明の実施の形態７の光ディスク装置およびその光ディスク領域判別方法を説明する。
【００９６】
図１４は本実施の形態７の光ディスク装置における光ディスク領域判別動作に関する構成を示すブロック図である。図１４において、８００は情報をデジタル形態で記録するための情報トラックが形成されたデータ領域と情報トラックが形成されていないミラー領域とからなる記録面を有する光ディスク、８０１は光ディスク８００を所定の角速度で回転させるディスク回転手段、８０２はディスク回転手段８０１により回転中の光ディスク８００の記録面に光ビームＢ１を照射するとともに、その照射による光ディスク８００の記録面からの反射光を検知する光ピックアップ、８０３は光ピックアップ８０２に対して光ディスク８００の半径方向への移動を駆動するピックアップ駆動手段、８０４はピックアップ駆動手段８０３により光ピックアップ８０２に対してデータ領域およびミラー領域を移動駆動するためのピックアップ駆動信号を生成するピックアップ駆動信号生成手段、８０５は光ピックアップ８０２により検知した記録面からの反射光を基に、光ビームＢ１が記録面の情報トラックを横断したことを示すトラック横断信号を生成するトラック横断信号生成手段、８０６はトラック横断信号生成手段８０５により生成されたトラック横断信号を基に、光ピックアップ８０２からの光ビームＢ１のトラック横断本数を、回転回数計数手段８１１により得られた光ディスク８００の１回転分、もしくは、Ｍ（Ｍは２以上の自然数）回転分だけ計数するトラック横断本数計数手段、８１０は現在の光ディスク８００の回転速度を計数する回転速度計数手段、８０７は光ディスク８００の記録面におけるデータ領域で、光ディスク８００の回転速度毎にトラック横断本数計数手段８０６により計数した光ビームＢ１のトラック横断本数を、記憶するデータ領域横断本数記憶手段、８０８はトラック横断本数計数手段８０６により計数した現在位置でのトラック横断本数と、データ領域横断本数記憶手段８０７に記憶されているトラック横断本数のうち回転速度計数手段８１０で計数した現在の回転速度に対応するトラック横断本数とを比較する比較手段、８０９は比較手段８０８の比較結果に基づいて、光ピックアップ８０２がデータ領域に位置しているか、ミラー領域に位置しているか、あるいはデータ領域とミラー領域の境界に位置しているかを判別する領域判別手段である。
【００９７】
なお、上記の回転速度計数手段８１０による光ディスク８００の現在の回転速度の計数は、例えばＦＧ（ｆｒｅｑｕｅｎｃｙ  ｇｅｎｅｒａｔｏｒ）信号の周期（１周期の時間）を計数することにより行う。このＦＧ信号とは、図１４のディスク回転手段８０１から出力される信号であり、スピンドルモーターが１回転する間に、ある決った周期数のＦＧ信号が出力される。ＦＧ信号はパルス信号（方形波）であり、具体例を挙げると、例えば、ある場合には、１回転の間に６周期のＦＧ信号が出力され、出力されるＦＧ信号の周期数は回転量に比例している。また、他のある場合には、例えば１回転の間に６周期のＦＧ信号が出力される場合には、半回転の間に３周期のＦＧパルスが出力され、２回転すると、１２周期のＦＧ信号が出力される。回転速度が速いほどこのＦＧ信号の周期が短くなり、ＦＧ信号の周期を計数することによって、現在の回転速度を計数（計算）することができる。
【００９８】
以上のように構成された光ディスク装置の光ディスク領域判別動作を以下に説明する。
図１５は本実施の形態７の光ディスク装置における光ディスク領域判別方法を示すフローチャートである。図１５に示すように、ステップ８５０では、光ディスク８００をディスク回転手段８０１によって所定の角速度で回転させる。ステップ８５１では、光ピックアップ８０２を、予め、ピックアップ駆動信号生成手段８０４からのピックアップ駆動信号に従って、ピックアップ駆動手段８０３により光ディスク８００の記録面におけるデータ領域に位置させる。ステップ８５２では、ディスク回転ステップ８５０により回転中の光ディスク８００の記録面に光ピックアップ８０２からの光ビームＢ１を照射し、その照射による光ディスク８００の記録面からの反射光を光ピックアップ８０２により検知する。ステップ８５３では、検知ステップ８５２により検知した記録面からの反射光を基に、トラック横断信号生成手段８０５により光ビームＢ１が記録面の情報トラックを横断したことを示すトラック横断信号を生成する。ステップ８５４では、トラック横断信号生成ステップ８５３により生成されたトラック横断信号を基に、トラック横断本数計数手段８０６により光ビームＢ１のトラック横断本数を、回転回数計数手段８１１により得られた光ディスク８００の１回転分、もしくは、Ｍ（Ｍは２以上の自然数）回転分だけ計数する。ステップ８５５では、トラック横断本数計数ステップ８５４によりデータ領域で光ディスク８００の回転速度毎に計数したトラック横断本数をそれぞれ記憶する。このステップ８５５でトラック横断本数の基準値を記憶する場合、回転速度を変化（例えば、ｖ１，ｖ２，・・・，ｖｎ）させて、その都度、トラック横断本数を計数し、その計数値をその時の各回転速度に対応する基準値として記憶する。ステップ８５６では、光ピックアップ８０２を、ピックアップ駆動信号生成手段８０４からのピックアップ駆動信号に従って、ピックアップ駆動手段８０３により移動させて光ディスク８００の記録面における任意の領域に位置させる。ステップ８５７では、ディスク回転ステップ８５０により回転中の光ディスク８００の記録面に光ピックアップ８０２からの光ビームＢ１を照射し、その照射による光ディスク８００の記録面からの反射光を光ピックアップ８０２により検知する。ステップ８５８では、検知ステップ８５７により検知した記録面からの反射光を基に、トラック横断信号生成手段８０５により光ビームＢ１が記録面の情報トラックを横断したことを示すトラック横断信号を生成する。ステップ８５９では、トラック横断信号生成ステップ８５８により生成されたトラック横断信号を基に、トラック横断本数計数手段８０６により現在位置での光ビームＢ１のトラック横断本数をステップ８５４で計数した回転回数分と同数の回転回数分だけ計数する。このようにして得られた現在位置でのトラック横断本数を、トラック横断本数の現在値とする。ステップ８６２では、回転速度計数手段８１０によりディスク回転手段８０１からのＦＧ信号を基に光ディスク８００の現在の回転速度を計数する。ステップ８６０では、トラック横断本数計数ステップ８５９により現在位置で計数したトラック横断本数と、記憶ステップ８５５により回転速度毎に記憶したトラック横断本数のうちからステップ８６２で計数した光ディスク８００の現在の回転速度に対応させて選択したトラック横断本数とを比較する。ステップ８６１では、比較ステップ８６０の比較結果に基づいて、光ピックアップ８０２がデータ領域に位置しているか、ミラー領域に位置しているか、データ領域とミラー領域の境界に位置しているかを判別する。
【００９９】
ここでは、領域判別手段８０９により、現在位置で計数したトラック横断本数が、予めデータ領域横断本数記憶手段８０７に記憶したトラック横断本数のうち現在の回転速度に対応するトラック横断本数より少ない場合は、現在、光ピックアップ８０２がミラー領域に位置していると判断し、一方、現在位置でのトラック横断本数と記憶したトラック横断本数とが略同じ場合は、現在、光ピックアップ８０２がデータ領域に位置していると判断し、それらの判断結果の切り替わり点により、データ領域とミラー領域の境界に位置した時点を判断する。
【０１００】
以上により、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができる。
【０１０１】
また、一般的に、偏重心成分の影響で、回転速度が速くなるほどデータ領域でのトラック横断本数が増える。それに対し、もともとトラック横断本数が極端に小さい、もしくは、トラック横断本数がゼロであるミラー領域では、回転速度が速くなっても、トラック横断本数が増えない。
【０１０２】
これに対し、本実施の形態の装置および方法により、回転速度が速い場合は、ミラー領域とデータ領域を判別するためのしきい値を大きくすることができ、より確実に、現在の光ピックアップの位置がミラー領域であるのか、データ領域であるのかを正しく判断することができる。
【０１０３】
なお、上記の実施の形態２、４、６、７において、横断本数比較手段は、トラック横断本数計数手段により現在位置で計数したトラック横断本数と、その基準値となるトラック横断本数とを比較して、それらの差を求めるように構成することもできる。
【０１０４】
以上のように構成された光ディスク装置では、比較ステップで、トラック横断本数計数ステップにより現在位置で計数したトラック横断本数と、その基準値となるトラック横断本数とを比較して、それらの差を求める。
【０１０５】
また、上記の実施の形態２、４、６、７において、横断本数比較手段は、トラック横断本数計数手段により現在位置で計数したトラック横断本数と、その基準値となるトラック横断本数とを比較して、それらの比を求めるように構成することもできる。
【０１０６】
以上のように構成された光ディスク装置では、比較ステップで、トラック横断本数計数ステップにより現在位置で計数したトラック横断本数と、その基準値となるトラック横断本数とを比較して、それらの比を求める。
【０１０７】
また、上記の実施の形態２、４、７において、データ領域横断本数記憶手段は、光ディスクの振動検出動作として予めトラック横断本数計数手段によりデータ領域で計数したトラック横断本数を記憶するように構成することもできる。
【０１０８】
以上のように構成された光ディスク装置では、記憶ステップで、光ディスクの振動検出動作として予めトラック横断本数計数ステップによりデータ領域で計数したトラック横断本数を記憶する。
【０１０９】
また、上記の実施の形態２、４、６において、データ領域横断本数記憶手段は、トラック横断本数計数手段によりデータ領域で光ディスクの回転速度毎に計数したトラック横断本数をそれぞれ記憶し、横断本数比較手段は、トラック横断本数計数手段により現在位置で計数したトラック横断本数と、データ領域横断本数記憶手段に記憶されているトラック横断本数のうち現在の回転速度に対応するトラック横断本数とを比較するように構成することもできる。
【０１１０】
以上のように構成された光ディスク装置では、記憶ステップで、トラック横断本数計数ステップによりデータ領域で光ディスクの回転速度毎に計数したトラック横断本数をそれぞれ記憶し、比較ステップで、トラック横断本数計数ステップにより現在位置で計数したトラック横断本数と、記憶ステップにより記憶されているトラック横断本数のうち現在の回転速度に対応するトラック横断本数とを比較する。
【０１１１】
また、上記の各実施の形態において、領域判別手段により光ピックアップがミラー領域に位置していると判断したときには、光ピックアップを所定の方向に所定量移動するように制御する制御手段を設けることもできる。
【０１１２】
以上のように構成された光ディスク装置では、制御手段により、領域判別ステップで光ピックアップがミラー領域に位置していると判断したときには、光ピックアップを所定の方向に所定量移動するステップを有する。
【０１１３】
また、上記の各実施の形態において、領域判別手段により光ピックアップの位置か判別できないときには、光ピックアップを所定の方向に所定量移動するように制御する制御手段を設けることもできる。
【０１１４】
以上のように構成された光ディスク装置では、制御手段により、領域判別ステップで光ピックアップの位置か判別できないときには、光ピックアップを所定の方向に所定量移動するステップを有する。
【０１１５】
また、上記の各実施の形態において、領域判別手段により光ピックアップがデータ領域とミラー領域の境界に位置していると判別したときには、光ピックアップを所定の方向に所定量移動するように制御する制御手段を設けることもできる。
【０１１６】
以上のように構成された光ディスク装置では、制御手段により、領域判別ステップで光ピックアップがデータ領域とミラー領域の境界に位置していると判別したときには、光ピックアップを所定の方向に所定量移動するステップを有する。
【産業上の利用可能性】
【０１１７】
本発明の光ディスク装置およびその光ディスク領域判別方法は、ミラー領域における情報記録状態や情報印刷状態さらにキズや汚れ状態など、ミラー領域面の表面状態がどのような光ディスクであっても、そのミラー領域とデータ領域との境界を正確に識別してデータを確実にデータ領域のみへ記録することができるとともに、領域判別するまでの読み取り処理回数を大幅に削減してその際の無駄な処理時間を最小限とし、記録再生時の処理スピードをさらに高速化して、素早くデータの記録再生を開始させることができるものであり、コンピュータシステムのパソコンに外付あるいは内蔵され光ディスクに情報を記録または再生する光ディスク装置等に適用できる。
【図面の簡単な説明】
【０１１８】
【図１】従来の光ディスク装置における光ディスク領域判別動作に関する構成を示すブロック図
【図２】本発明の実施の形態１の光ディスク装置における光ディスク領域判別動作に関する構成を示すブロック図
【図３】同実施の形態１の光ディスク装置における光ディスク領域判別方法を示すフローチャート
【図４】本発明の実施の形態２の光ディスク装置における光ディスク領域判別動作に関する構成を示すブロック図
【図５】同実施の形態２の光ディスク装置における光ディスク領域判別方法を示すフローチャート
【図６】本発明の実施の形態３の光ディスク装置における光ディスク領域判別動作に関する構成を示すブロック図
【図７】同実施の形態３の光ディスク装置における光ディスク領域判別方法を示すフローチャート
【図８】本発明の実施の形態４の光ディスク装置における光ディスク領域判別動作に関する構成を示すブロック図
【図９】同実施の形態４の光ディスク装置における光ディスク領域判別方法を示すフローチャート
【図１０】本発明の実施の形態５の光ディスク装置における光ディスク領域判別動作に関する構成を示すブロック図
【図１１】同実施の形態５の光ディスク装置における光ディスク領域判別方法を示すフローチャート
【図１２】本発明の実施の形態６の光ディスク装置における光ディスク領域判別動作に関する構成を示すブロック図
【図１３】同実施の形態６の光ディスク装置における光ディスク領域判別方法を示すフローチャート
【図１４】本発明の実施の形態７の光ディスク装置における光ディスク領域判別動作に関する構成を示すブロック図
【図１５】同実施の形態７の光ディスク装置における光ディスク領域判別方法を示すフローチャート
【符号の説明】
【０１１９】
２００、３００、４００、５００、６００、７００、８００    光ディスク
２０１、３０１、４０１、５０１、６０１、７０１、８０１    ディスク回転手段
２０２、３０２、４０２、５０２、６０２、７０２、８０２    光ピックアップ
２０３、３０３、４０３、５０３、６０３、７０３、８０３    ピックアップ駆動手段
２０４、３０４、４０４、５０４、６０４、７０４、８０４    ピックアップ駆動信号生成手段
２０５、３０５、４０５、５０５、６０５、７０５、８０５    トラック横断信号生成手段
２０６、３０６、４０６、５０６、６０６、７０６、８０６    トラック横断本数計数手段
２０７、３０７、４０７、５０７、６０７、７０９、８０９    領域判別手段
３０８、５０８、７０７、８０７    データ領域横断本数記憶手段
３０９、５０９、７０８、８０８    横断本数比較手段
４１０、５１０    ウォブリング手段
８１０    回転速度計数手段
２１１、３１１、４１１、５１１、６１１、７１１、８１１    回転回数計数手段
Ｂ１    光ビーム
【図１】
2006040381.tif 000003
【図２】
2006040381.tif 000004
【図３】
2006040381.tif 000005
【図４】
2006040381.tif 000006
【図５】
2006040381.tif 000007
【図６】
2006040381.tif 000008
【図７】
2006040381.tif 000009
【図８】
2006040381.tif 000010
【図９】
2006040381.tif 000011
【図１０】
2006040381.tif 000012
【図１１】
2006040381.tif 000013
【図１２】
2006040381.tif 000014
【図１３】
2006040381.tif 000015
【図１４】
2006040381.tif 000016
【図１５】
2006040381.tif 000017